(57)【要約】【課題】視認性に優れ操作しやすい操作環境を実現する。【解決手段】内視鏡システム制御装置６は、演算処理部６ａ、操作画面展開部６ｂ、機能設定部６ｃ、表示フィルタ部６ｄの各機能部を有しており、表示フィルタ部６ｄでは、内視鏡システム１への複数の周辺機器の接続状態に応じて、操作画面上に表示する各種スイッチ画像の表示形態を制御する。【選択図】図４
2005334461.tif 000002
【特許請求の範囲】
【請求項１】
複数の医療機器を接続して医療検査を行う医療検査システムにおいて、
前記複数の医療機器の接続状態を管理し、かつ制御を行う機器制御手段と、
前記機器制御手段に接続される前記複数の医療機器の制御状態を設定及び表示する制御状態設定表示手段と
を有し、
前記機器制御手段は、
前記制御状態設定表示手段が表示する制御状態表示画面を生成する画面生成手段と、
前記複数の医療機器の接続状態に基づき、前記制御状態表示画面の項目の設定及び表示を制御する表示フィルタ手段と
を具備したことを特徴とする医療検査システム。
【請求項２】
前記表示フィルタ手段は、前記複数の医療機器の接続状態に基づき、非接続状態の医療機器に関する前記制御状態表示画面の項目を消去する
ことを特徴とする請求項１に記載の医療検査システム。
【請求項３】
前記表示フィルタ手段は、前記複数の医療機器の接続状態に基づき、非接続状態の医療機器に関する前記制御状態表示画面の項目を設定不可とすると共に、陰影表示する
ことを特徴とする請求項１に記載の医療検査システム。
【発明の詳細な説明】
【技術分野】
【０００１】
本発明は、複数の医療機器を制御して検査を実施する医療検査システムに関する。
【背景技術】
【０００２】
内視鏡を用いて内視鏡検査あるいは治療処置を行う場合においては、光源装置等の医療機器をラック等にまとめて内視鏡システムを構成したり、これらの装置を搭載したラックを組み合わせるなどして、内視鏡検査等を行うことが一般的である。
【０００３】
本出願人は、例えば特開平３−２８４２３０号公報において、複数の装置を１つの筐体内に収納し、これら複数の装置を集中制御する集中制御部と、複数の装置を集中的に操作する集中操作部とを備えた内視鏡システムを開示している。
【０００４】
このような内視鏡システムは、内視鏡を介して被検体へ照明光を供給するための光源装置、内視鏡からの画像信号を処理する映像信号処理装置（ビデオプロセッサあるいはビデオシステムセンタ）、内視鏡からの光学像を撮影する撮影装置、被検部位を焼灼して治療を行う焼灼装置（ヒートプローブ装置）、被検部位を切除する電気メス装置、内視鏡画像を表示する観察モニター、検査時に患者を載せるベッド等、多様な装置があり、これらの周辺機器を目的に合わせて組み合わせて構成されている。
【０００５】
そして、前記周辺機器を集中操作するための集中操作部として、各操作用のスイッチを表示する液晶ディスプレイ等の操作画面表示部、及び操作画面表示部上に配設されたタッチパネル等の入力検出部が設けられている。前記操作画面表示部には、操作画面が表示され、操作画面上の目的の操作スイッチを押す（あるいは触れる）と、タッチパネル上の押された位置が検出されて集中制御部へ操作指令が入力され、集中制御部により該当する装置の制御が行われるようになっている。
【０００６】
このように構成することにより、内視鏡による検査や治療処置の際に各周辺機器を集中的に操作、制御することができ、また各装置の動作状態を確認できるため、各装置の操作時における操作者の負担を軽減でき、操作性を向上できる。また、使用する装置が異なる場合においても、目的に応じて装置を組み合わせて内視鏡システムを構成でき、システムの構成に応じて各周辺機器を集中制御することができる。
【特許文献１】特開平３−２８４２３０号公報
【発明の開示】
【発明が解決しようとする課題】
【０００７】
しかしながら、システムの構成に応じて各周辺機器を集中制御する場合、各周辺機器を制御するためのスイッチを操作画面に展開する必要があるが、従来の内視鏡システムにおいては、接続されていない周辺機器に関するスイッチも、接続されている周辺機器に関するスイッチと同様に操作画面に表示されるため、操作可能な周辺機器を容易に視認することが困難であった。
【０００８】
本発明は、上記事情に鑑みてなされたものであり、視認性に優れ操作しやすい操作環境を実現することのできる医療検査システムを提供することを目的としている。
【課題を解決するための手段】
【０００９】
本発明の医療検査システムは、複数の医療機器を接続して医療検査を行う医療検査システムにおいて、前記複数の医療機器の接続状態を管理しかつ制御を行う機器制御手段と、前記機器制御手段に接続される前記複数の医療機器の制御状態を設定及び表示する制御状態設定表示手段とを有し、前記機器制御手段が、前記制御状態設定表示手段が表示する制御状態表示画面を生成する画面生成手段と、前記複数の医療機器の接続状態に基づき、前記制御状態表示画面の項目の設定及び表示を制御する表示フィルタ手段とを具備して構成される。
【発明の効果】
【００１０】
本発明によれば、視認性に優れ操作しやすい操作環境を実現することができるという効果がある。
【発明を実施するための最良の形態】
【００１１】
以下、図面を参照しながら本発明の実施例について述べる。
【実施例１】
【００１２】
図１ないし図３１は本発明の実施例１に係わり、図１は内視鏡システムの外観構成を示す図、図２は図１の内視鏡システムの制御系の構成を示すブロック図、図３は図２の操作パネルにより各周辺機器を制御する際の機能的構成を示すブロック図、図４は図２の内視鏡システム制御装置の機能構成を示す機能ブロック図、図５は図４の操作画面展開部で展開される画面を説明する説明図、図６は図１のフットスイッチの外観を示す外観図、図７は図１のトラックボールの外観を示す外観図、図８は図１の内視鏡システムで展開表示される準備画面を示す図、図９は図１の内視鏡システムで展開表示される内視鏡検査画面を示す図、図１０は図１の内視鏡システムで展開表示される超音波検査画面を示す図、図１１は図１の内視鏡システムで展開表示される処置装置画面を示す第１の図、図１２は図１の内視鏡システムで展開表示される処置装置画面を示す第２の図、図１３は図１の内視鏡システムで展開表示される接続機器画面を示す図、図１４は図４の表示フィルタ部の作用を説明する準備画面の第１の図、図１５は図４の表示フィルタ部の作用を説明する準備画面の第２の図、図１６は図４の表示フィルタ部の作用を説明する準備画面の第３の図、図１７は図４の表示フィルタ部の作用を説明する準備画面の第４の図、図１８は図４の表示フィルタ部の作用を説明する準備画面の第５の図、図１９は図４の表示フィルタ部の作用を説明する準備画面の第６の図、図２０は図４の表示フィルタ部の作用を説明する内視鏡検査画面の第１の図、図２１は図４の表示フィルタ部の作用を説明する内視鏡検査画面の第２の図、図２２は図４の表示フィルタ部の作用を説明する内視鏡検査画面の第３の図、図２３は図９の内視鏡検査画面に重畳されるスイッチ設定ウインドウを示す第１の図、図２４は図９の内視鏡検査画面に重畳されるスイッチ設定ウインドウを示す第２の図、図２５は図９の内視鏡検査画面に重畳されるスイッチ設定ウインドウを示す第３の図、図２６は図９の内視鏡検査画面に重畳されるスイッチ設定ウインドウを示す第４の図、図２７は図９の内視鏡検査画面に重畳されるスイッチ設定ウインドウを示す第５の図、図２８は図９の内視鏡検査画面に重畳されるスイッチ設定ウインドウを示す第６の図、図２９は図４の表示フィルタ部の作用を説明するスイッチ設定ウインドウの第１の図、図３０は図４の表示フィルタ部の作用を説明するスイッチ設定ウインドウの第２の図、図３１は図４の表示フィルタ部の作用を説明するスイッチ設定ウインドウの第３の図である。
【００１３】
図１に示すように、本実施例を備えた内視鏡システム１は、システム本体２と、図示しない患者を載せるベッド３と、患者に対する内視鏡検査を行う内視鏡４と、内視鏡画像を表示する観察モニタ５とを備えて主要部が構成されている。
【００１４】
前記システム本体２には、内視鏡システム１の集中操作を行う内視鏡システム制御装置６（図２参照）と、この内視鏡システム制御装置６に接続され、制御指示入力操作等を行う操作パネル７及びフットスイッチ３１（図６参照）、トラックボール３２（図７参照）等とが設けられている。
【００１５】
また、システム本体２から上方に支柱が取り付けられ、内視鏡ハンガが形成されている。なお、ベッド３は、上下方向等に移動可能となっている。
【００１６】
内視鏡４は、患者等の体腔内に挿入される細長の挿入部８と、この挿入部８の後端に設けられた操作部９と、この操作部９から延出されたユニバーサルケーブル１０とを有する。
【００１７】
内視鏡４の操作部９における例えば後端付近にはフリーズ等の指示操作を行うことができるスコープスイッチ部１１が設けてある。また、内視鏡４のユニバーサルケーブル１０の端部のコネクタは、システム本体２内に収納された光源装置１２（図２参照）とビデオプロセッサ１３（図２参照）とに接続される。
【００１８】
図２に示すように、前記システム本体２内には、内視鏡４に対して、照明光を供給する光源装置１２と、内視鏡４の制御や画像信号の処理を行うビデオプロセッサ１３と、内視鏡４の管路系を介して送気・送水を行うポンプを備えた送気・送水装置１４等を収納可能である。
【００１９】
図２では、システム本体２を構成し、内視鏡周辺機器を集中制御する内視鏡システム制御装置６は、シリアルインタフェース（シリアルＩ／Ｆと略記）を制御するシリアルコントローラ１５及びパラレルインタフェース（パラレルＩ／Ｆと略記）を制御するパラレルコントローラ１６を介して内視鏡周辺機器を集中制御する構成にしている。また、内視鏡システム制御装置６には、さらに観察モニタ５が接続される。
【００２０】
内視鏡システム制御装置６とシリアルコントローラ１５を介したシリアルバス１７には、上述した光源装置１２、ビデオプロセッサ１２の他に、超音波を用いて患部を観測する超音波内視鏡観測装置３３、病変部位等を切除する電気メス装置２１、病変部位等を焼灼して治療を行うヒートプローブ装置（焼灼装置）２４、表示される内視鏡画像のハードコピーを得るビデオプリンタ２２、映像信号を記録するビデオテープレコーダ（ＶＴＲと略記）２３、表示される内視鏡画像の写真撮影する撮影装置２５等を接続することができる。
【００２１】
また、内視鏡システム制御装置６とパラレルコントローラ１６を介したパラレルバス１８には、上記操作パネル７、送気・送水装置１４の他に、映像信号をＲＧＢの映像信号に変換するＲＧＢエンコーダ２６、超音波内視鏡観測装置３３において患部計測を行うためのトラックボール３２が接続されている。
【００２２】
図１に示すように上記操作パネル７は、システム本体２の上部に設けられており、図２に示すように液晶ディスプレイ（ＬＣＤと略記）７ａ等の表示モニタからなる操作画面表示部と、この操作画面表示部上に密接して設けられた透明のタッチパネル７ｂ等による入力検出部とにより構成されている。
【００２３】
この表示モニタ（となるＬＣＤ７ａ）にシステム本体２内の周辺機器を操作するための操作スイッチを配置した操作画面を表示し、操作画面の操作スイッチの部分を押す（触れる）ことにより、タッチパネル７ｂによって指示入力操作を検出できるようにしている。ここでは、前記タッチパネル７ｂはマトリックス状に配置された多数の透明電極のスイッチで構成されており、タッチパネル７ｂをスキャンしてどの部分のスイッチが押されたか、スイッチの座標を検出するようになっている。
【００２４】
図３はユーザが操作パネル７を操作することにより、各周辺機器を制御する際の機能的構成を示したものである。内視鏡システム制御装置６に対して（ユーザの操作により）操作パネル７から操作指示情報が送られると、内視鏡システム制御装置６は、シリアルコントローラ１５を介してシリアルバス１７に接続された該当する周辺機器へ制御信号を送出する。
【００２５】
シリアルバス１７には、光源用インターフェース（Ｉ／Ｆ）２７を介して光源装置１２が、ビデオプロセッサ用インターフェース（Ｉ／Ｆ）２８を介してビデオプロセッサ１３が、電気メス用インターフェース（Ｉ／Ｆ）２９を介して電気メス装置２１が、ヒートプローブ用インターフェース（Ｉ／Ｆ）３０を介してヒートプローブ装置２４がそれぞれ接続されており、各周辺機器は、内視鏡システム制御装置６からの制御信号によって集中制御される。
【００２６】
図３ではシリアルバス１７に接続された周辺機器の場合を示したが、パラレルバス１８に接続された周辺機器の場合もほぼ同様のものとなる。
【００２７】
上記操作パネル７には、画面選択エリア上に切換スイッチが表示され、画面上に操作スイッチ、操作状況や動作状態の表示などが設けられる。ここで、画面選択エリア上における切換スイッチを選択することによって、操作したい目的の装置の操作画面が瞬時に表示される。また、内視鏡システム制御装置６には、操作するユーザ毎の設定値等を記憶する順位記憶手段としての設定値記憶手段１９が接続されており、設定値記憶手段１９によりユーザ毎にそのユーザに適した設定値で周辺機器の設定を行えるようにしている。
【００２８】
このように上記内視鏡システム制御装置６は、この内視鏡システム制御装置６に接続された各周辺機器に対して制御信号の入出力を行い、周辺機器の動作を制御する。この場合、前記操作パネル７、あるいは内視鏡４の操作部９に設けられたスコープスイッチ部１１のスイッチまたはフットスイッチ３１のスイッチを操作することによって、内視鏡システム制御装置６に操作指示情報を送り、内視鏡システム制御装置６により対象の周辺機器に対して制御信号が送出されてその周辺機器の制御を行うようになる。
【００２９】
操作パネル７を操作した場合は、前述のように押されたタッチパネル７ｂのスイッチの座標を検出し、内視鏡システム制御装置６によりスイッチの座標と操作画面とを対応させて画面に表示された操作スイッチに該当する指示の制御信号を周辺機器へ送出する。なお、操作パネル７において、表示した操作画面に応じて、押されたスイッチの座標を基に該当する指示をコマンドとして内視鏡システム制御装置６へ送出し、内視鏡システム制御装置６より周辺機器へ制御信号を送出するようにしても良い。
【００３０】
内視鏡システム制御装置６は、図４に示すように、演算処理部６ａ、操作画面展開部６ｂ、機能設定部６ｃ、表示フィルタ部６ｄの各機能部を有しており、操作画面展開部６ｂには、図５に示すように、内視鏡システム１の複数の周辺機器を制御するために機能別に分けられた複数の操作画面である、準備画面５０、内視鏡検査画面５１、超音波検査画面５２、処置装置画面５３、接続機器画面５４等が用意されている。これら操作画面は操作画面展開部６ｂにより展開され、前記操作パネル７に表示される。
【００３１】
一方、表示フィルタ部６ｄでは、内視鏡システム１への複数の周辺機器の接続状態に応じて、詳細は後述するが、操作画面上に表示する各種スイッチ画像の表示形態を制御する。
【００３２】
操作パネル７のＬＣＤ７ａに表示される内視鏡システム１を操作する操作画面の一例である、準備画面５０は、例えば内視鏡システム１の準備時に表示して、図８のような画面構成をなしており、内視鏡システム１の主要な準備を行えるようになっている。
【００３３】
また、検査前に予めこの準備画面５０で準備手順の設定が可能となっており、この準備手順を設定値記憶手段１９に格納することができるようになっている。
【００３４】
この準備画面５０には、ユーザ名表示エリア７１、接続機器電源表示エリア７２、準備開始／終了連動設定エリア７３、ベッド操作エリア７４、患者データ表示エリア７５、ビデオプロセッサ基本設定表示エリア７６、フットスイッチ設定表示エリア７７，記録先接続表示エリア７８、モニタ出力選択エリア７９、ユーザスイッチ表示エリア８０、画面選択エリア８１等が表示される。
【００３５】
ここで、準備画面５０の各エリアの表示の詳細を説明する。
【００３６】
（１−１）ユーザ名表示エリア７１
現在選択されているユーザ名を表示
（１−２）接続機器電源表示エリア７２
例えばビデオプロセッサの電源スイッチの状態を表示（なお、超音波内視鏡装置が接続されている場合は、超音波内視鏡装置の電源スイッチの状態も表示）
（１−３）準備開始／終了連動設定エリア７３
準備の開始／終了、開始／終了時に連動する機能設定、ランプの点灯／消灯、ユーザ選択を表示
（１−４）ベッド操作エリア７４
ベッドの高さや角度の設定、調整を表示（設定した位置にベッドを自動で動かす方法と、任意の位置に動かす方法の２つがある）
（１−５）患者データ表示エリア７５
入力した患者データ（患者IDや名前、年齢など）の表示、医師名の表示
（１−６）ビデオプロセッサ基本設定表示エリア７６
で設定されている、明るさや色調表示などの状態を表示（また、ホワイトバランスの設定表示）
（１−７）フットスイッチ設定表示エリア７７
フットスイッチの設定状態を表示
（１−８）記録先接続表示エリア７８
検査画像を記録する機器の接続状態を表示
（１−９）モニタ出力選択エリア７９
モニタに出力する画像の選択表示（ 例えば電子内視鏡システム（EVIS）／超音波観測システム（EUS）／カラービデオプリンタ（CVP ）の３種類から選択）
（１−１０）ユーザスイッチ表示エリア８０
よく使う機能スイッチをユーザースイッチに設定し、表示（例えば最大８つのユーザスイッチが設定可能）
（１−１１）画面選択エリア８１
画面の切り替え表示（内視鏡画面／超音波画面／処置画面／接続機器画面へ移動可能）
また、操作パネル７には、画面選択エリア８１を操作することで、準備画面５０の他に、上述したように、図９のような内視鏡使用時の各種設定・操作を行うための内視鏡検査画面５１、図１０のような超音波内視鏡使用時に各種設定・操作を行うための超音波検査画面５２、図１１あるいは図１２のようなヒートプローブ装置２４や電気メス装置２１などの処置装置を操作するための処置装置画面５３、図１３のような接続機器の設定をする接続機器画面５４等の複数の操作画面を表示できるようにしている。
【００３７】
また、図８ないし図１３に示すように、準備画面５０、内視鏡検査画面５１、超音波検査画面５２、処置装置画面５３、接続機器画面５４の背景色を変えることで、視覚的にどの操作画面を操作しているか容易に認識可能としている（図８ないし図１３の各図中では背景ハッチングを変えて背景色の違いを示している）。
【００３８】
画面選択エリア８１を操作することで、操作パネル７のＬＣＤ７ａでの表示を、図８のような準備スイッチ６３がアクティブ表示された準備画面５０から、図９のような内視鏡スイッチ６４がアクティブ表示された内視鏡検査画面５１に移行させることができる。
【００３９】
この内視鏡検査画面５１には、ユーザ名表示エリア７１、接続機器電源表示エリア７２、準備開始／終了連動設定エリア７３、ベッド操作エリア７４、ビデオプロセッサ基本設定表示エリア７６、スコープスイッチ／フットスイッチ設定表示エリア７７ａ，記録先接続表示エリア７８、モニタ出力選択エリア７９、ユーザスイッチ表示エリア８０、画面選択エリア８１、情報モニタ出力エリア１５２等が表示される。
【００４０】
ここで、内視鏡検査画面５１の各エリアの表示の詳細を説明する。
【００４１】
（２−１）ユーザ名表示エリア７１
現在選択されているユーザ名を表示
（２−２）接続機器電源表示エリア７２
例えばビデオプロセッサの電源スイッチの状態を表示
（２−３）準備開始／終了連動設定エリア７３
内視鏡検査の開始／終了、開始/終了時に連動する機能設定、ランプの点灯／消灯、ファイバー式内視鏡システム検査（OES検査）への切り替え表示（例えばランプを点灯するときは、「ランプ」スイッチを押下、消灯するときは、「ランプ」スイッチを１秒以上押下）
（２−４）ベッド操作エリア７４
ベッドの高さや角度の設定、調整を表示（「角度自動」スイッチを押すと設定した角度までベッドが上昇、「高さ自動」スイッチを押すと設定した高さまでベッドが上昇、それぞれの上下スイッチで微調整可能）
（２−５）ビデオプロセッサ基本設定表示エリア７６
で設定されている、明るさや色調表示などの状態を表示（また、ホワイトバランスの設定表示）
（２−６）スコープスイッチ／フットスイッチ設定表示エリア７７ａ
スコープスイッチとフットスイッチの設定状態を表示（光源装置（CLV）／ビデオプロセッサ（CV）／ベッド／記録装置／その他の機能から選択可能）
（２−７）情報モニタ出力エリア１５２
情報モニタに出力する画像の選択表示
（２−８）記録先接続表示エリア７８
検査画像を記録する機器の接続状態を表示
（２−９）モニタ出力選択エリア７９
モニタに出力する画像の選択表示（ 例えば電子内視鏡システム（EVIS）／カラービデオプリンタ（CVP） の２種類から選択）
（２−１０）ユーザスイッチ表示エリア８０
よく使う機能スイッチをユーザースイッチに設定し、表示（例えば最大８つのユーザスイッチが設定可能）
（２−１１）画面選択エリア８１
画面の切り替え表示（準備画面／超音波画面／処置画面／接続機器画面へ移動可能）
同様に、画面選択エリア８１を操作することで、操作パネル７のＬＣＤ７ａでの表示を図１０のような超音波スイッチ６５がアクティブ表示された超音波検査画面５２に移行させることができる。
【００４２】
この超音波検査画面５２には、ユーザ名表示エリア７１、接続機器電源表示エリア７２、準備開始／終了連動設定エリア７３、ベッド操作エリア７４、超音波内視鏡基本設定表示エリア１５３、フットスイッチ設定表示エリア７７，モニタ出力選択エリア７９、ユーザスイッチ表示エリア８０、画面選択エリア８１等が表示される。
【００４３】
また同様に、画面選択エリア８１を操作することで、操作パネル７のＬＣＤ７ａでの表示を、例えば処置装置が熱凝固装置の場合には、図１１のような処置スイッチ６６がアクティブ表示された熱凝固装置の処置装置画面５３に移行させることができ、また例えば処置装置が電気メス装置の場合には、図１２のような処置スイッチ６６がアクティブ表示された電気メス装置の処置装置画面５３に移行させることができる。
【００４４】
この処置装置画面５３には、ユーザ名表示エリア７１、接続機器電源表示エリア７２、準備開始／終了連動設定エリア７３、ベッド操作エリア７４、処置装置基本設定表示エリア１５４、フットスイッチ設定表示エリア７７，情報モニタ出力エリア１５２、ユーザスイッチ表示エリア８０、画面選択エリア８１等が表示される。
【００４５】
さらに同様に、画面選択エリア８１を操作することで、操作パネル７のＬＣＤ７ａでの表示を図１３のような接続機器スイッチ６７がアクティブ表示された接続機器画面５４に移行させることができる。
【００４６】
この接続機器画面５４には、ユーザ名表示エリア７１、接続機器電源表示エリア７２、接続機器設定エリア１５５、画面選択エリア８１等が表示される。
【００４７】
これらの操作画面は、必要に応じて装置の設定スイッチや使用頻度の少ない操作スイッチを配置した他の操作画面を有しており、これらを階層構造として切り換えて操作を行うようになっている。前記内視鏡検査画面５１、超音波検査画面５２、処置装置画面５３、接続機器画面５４は、画面選択エリア上に表示された切換スイッチを選択することにより表示され、各種操作を行えるようになっている。
【００４８】
本実施例では、検査前にこれらの操作画面を用いて各検査時の機器の設定手順を予め設定値記憶手段１９に格納することができ、例えば検査時には設定値記憶手段１９に格納した準備手順に従って、操作パネル７に準備画面５０の階層画面を展開し検査に必要な準備情報（例えば患者情報等）の設定を行い、その後、検査開始時及び検査中には例えば内視鏡検査画面５１を操作パネル７に表示させ検査を実施する。
【００４９】
このようにすることで、検査時においては、設定値記憶手段１９に格納した準備手順に従って、準備画面５０において各種準備情報の入力ができるので、準備情報の入力が遅滞なく行えるばかりではなく、情報の入力漏れを防止することが可能となる。さらに本実施例では、準備情報の入力後には、連動して操作画面である、例えば内視鏡検査画面５１を操作パネル７に表示することができるので、検査時に準備画面５０から内視鏡検査画面５１を選択しなくても済み、また内視鏡検査画面５１を展開させた後、設定値記憶手段１９に格納した検査時設定情報を連動させて読み出し、各機器を設定することができる。
【００５０】
また、内視鏡システム１は、システム接続された機器の状態を認識することが可能となっており、必須機器以外の接続機器の接続状態を表示フィルタ部６ｄで管理することで、各操作画面上での必須機器以外の接続機器に関するスイッチの表示状態を制御することができるようになっている。
【００５１】
例えば内視鏡検査においては、光源装置１２、ビデオプロセッサ１３、観察モニタ５、送気・送水装置１４が必須機器となるが、各種処置装置、各種モニタ、ベッド、カラービデオプリンタ、写真撮影装置、白黒ビデオプリンタ、画像ファイリングシステム、ＶＴＲ、内視鏡挿入形状観測装置、外部モニタ等は必須機器ではないので、必須機器以外の接続機器の接続状態に応じて、表示フィルタ部６ｄでは、これらの必須機器以外の接続機器に関するスイッチの表示状態を制御する。
【００５２】
本実施例では、内視鏡システム１に例えば処置装置が接続されていない場合には、準備画面５０は、図１４に示すように、表示フィルタ部６ｄの制御により、画面選択エリア８１から処置スイッチ６６を消去した状態で操作パネル７のＬＣＤ７ａに表示される。なお、図１５に示すように、処置スイッチ６６を使用不可にすると共に陰影をつける（斜をかける）等の選択不可表示を行うようにしてもよい。このように接続されていない機器のスイッチの表示を消去（あるいは選択不可表示）することで、操作可能な接続機器あるいは展開可能な操作画面を容易に認識することを可能としている。
【００５３】
また、図１４において、記録先接続表示エリア７８では、写真撮影装置（ＳＣＶ）とデジタルファイリング装置（ＤＦ）とが内視鏡システム１と通信可能である状態を例えば水色表示（図中クロスハッチング表示）で示している。また、モニタ出力選択エリア７９では、選択中の出力をアクティブ表示（斜線ハッチング表示）し、非選択中の出力をノンアクティブ表示（ハッチング無し）し、さらに選択不可の出力を陰影をつける（斜をかける）等の選択不可表示している。
【００５４】
また、図１６に示すように、ベッドに角度調整機能が設けられていない場合には、表示フィルタ部６ｄの制御により、ベッド操作エリア７４から角度調整機能スイッチを消去した状態で操作パネル７のＬＣＤ７ａに表示される。なお、図１７に示すように、角度調整機能スイッチを使用不可にすると共に陰影をつける（斜をかける）等の選択不可表示を行うようにしてもよい。
【００５５】
さらにベッドが接続されていない場合には、図１８に示すように、表示フィルタ部６ｄの制御により、ベッド操作エリア７４から高さ調整機能スイッチをさらに消去した状態で操作パネル７のＬＣＤ７ａに表示される。なお、図１９に示すように、高さ調整機能スイッチを使用不可にすると共に陰影をつける（斜をかける）等の選択不可表示を行うようにしてもよい。
【００５６】
表示フィルタ部６ｄの制御は、他の操作画面に移動した場合にも反映され、例えば図１５のベッドに角度調整機能が設けられていない場合の準備画面５０から、内視鏡検査画面５１に移行させると、図２０に示すように、内視鏡検査画面５１においても、表示フィルタ部６ｄの制御により、ベッド操作エリア７４から角度調整機能スイッチを消去した状態で操作パネル７のＬＣＤ７ａに表示される。
【００５７】
また、表示フィルタ部６ｄの制御は、内視鏡検査画面５１の情報モニタ出力エリア１５２にも反映される。例えば、内視鏡システム１にカラービデオプリンタや内視鏡挿入形状観測装置等が接続されておらず、情報モニタに出力する画像の選択がデータ画像及びキャプチャ画像のみである場合には、図２１のように、出力可能な画像のみを情報モニタ出力エリア１５２に表示させる。なお、図２２に示すように、出力不可な画像に陰影をつける（斜をかける）等の選択不可表示を行うようにしてもよい。
【００５８】
その他の操作画面である超音波検査画面５２、処置装置画面５３、接続機器画面５４等でも表示フィルタ部６ｄの制御が反映されるので、その他の各操作画面での説明は省略する。
【００５９】
内視鏡検査画面５１等の操作画面では、スコープスイッチ／フットスイッチ設定表示エリア７７ａでスコープスイッチ／フットスイッチの各スイッチの機能設定が可能となっている。すなわち、例えば図９において、スコープスイッチ／フットスイッチ設定表示エリア７７ａ上の設定ボタン２００を選択すると、図２３に示すようなスイッチ設定ウインドウ２０１が重畳表示される。
【００６０】
このとき、この画面での操作内容を解説するインフォメーションウインドウ２０２も同時に表示される。このインフォメーションウインドウ２０２が自動表示されることで、操作が頻繁になされない操作画面上での操作／設定方法が容易に認識することが可能となる。すなわち、インフォメーションウインドウ２０２により、あまり使用しない画面（接続機器設定画面など、一回設定したらあとはあまり変更しない）や、久しぶりに使う画面（例えば超音波内視鏡は月に数回程度しか使用しないなど）は、使用方法を忘れてしまっていることがあるかもしれないので、インフオメーション表示を行う。
【００６１】
スイッチ設定ウインドウ２０１は、光源装置／ビデオプロセッサスイッチ設定タグ部２１０、ベッドスイッチ設定タグ部２４０、記録装置スイッチ設定タグ部２５０、その他スイッチ設定タグ部２６０からなり、光源装置／ビデオプロセッサスイッチ設定タグ部２１０は、図２３に示すように、透過照明スイッチ２１１、フリーズスイッチ２１２、レリーズスイッチ２１３、測光スイッチ２１４、構造強調スイッチ２１５、色彩強調スイッチ２１６、モノクロ表示スイッチ２１７、コントラストスイッチ２１８、ＡＧＣ（オートゲインコントロール）スイッチ２１９、設定無しスイッチ２２０、次ページスイッチ２２１等からなる。
【００６２】
また、次ページスイッチ２２１を選択すると、光源装置／ビデオプロセッサスイッチ設定タグ部２１０は、図２４に示すような表示となる。図２４の光源装置／ビデオプロセッサスイッチ設定タグ部２１０は、画面サイズスイッチ２２２、拡大スイッチ２２３、ストップウォッチスイッチ２２４、文字消去スイッチ２２５、鉗子情報スイッチ２２６、ズームスケールスイッチ２２７、ＩＨｂ分布スイッチ２２８、ビデオプリンタ出力画像スイッチ（Mon.CVP）２２９、ＶＴＲ出力画像スイッチ（Mon.VTR）２３０、デジタルファイリング装置出力画像スイッチ（Mon.DF）２３１、設定無しスイッチ２３２、前ページスイッチ２３３等からなる。
【００６３】
例えばスイッチ設定ウインドウ２０１において、図２５に示すように、例えばフリーズスイッチ２１２を選択すると、フリーズスイッチ２１２がアクティブ表示され、また、スコープスイッチ／フットスイッチ設定表示エリア７７ａの所望のスイッチにフリーズ機能が割り付けられ、スイッチ名称が表示される。このようにしてスコープスイッチ／フットスイッチ設定表示エリア７７ａの各スイッチに機能割り付け及び機能表示の設定ができるようになっている。
【００６４】
ベッドスイッチ設定タグ部２４０は、図２６に示すように、高さ自動スイッチ２４１、高さ上昇スイッチ２４２、高さ下降スイッチ２４３、角度自動スイッチ２４４、角度上昇スイッチ２４５、角度下降スイッチ２４６、設定無しスイッチ２４７等からなる。
【００６５】
また、記録装置スイッチ設定タグ部２５０は、図２７に示すように、ビデオプリンタ内に記録されている画像のうち現在選択されている画像から１つ前の画像を選択するためのプリンタメモリバック（P.Back）スイッチ２５１、キャプチャスイッチ２５２、プリントスイッチ２５３、キャプチャプリントスイッチ２５４、録画スイッチ２５５、デジタルファイル外部検索スイッチ２５６、デジタルファイルオプションスイッチ２５７、設定無しスイッチ２５８等からなる。
【００６６】
また、その他スイッチ設定タグ部２６０は、図２８に示すように、ワンタイム測定スイッチ２６１、インターバルスイッチ２６２、モード切替スイッチ２６３、スピードスイッチ２６４、ステップスイッチ２６５、送水ユニットスイッチ２６６、サブモニタスイッチ２６７、キャプチャスイッチ２６８、キャプチャ消去スイッチ２６９、設定無しスイッチ２７０等からなる。
【００６７】
本実施例では、スイッチ設定ウインドウ２０１の表示においても、表示フィルタ部６ｄの制御が反映され、例えば、ベッドに角度調整機能がない場合には、図２９に示すように、スイッチ設定ウインドウ２０１のベッドスイッチ設定タグ部２４０においては、表示フィルタ部６ｄの制御により、角度自動スイッチ２４４、角度上昇スイッチ２４５、角度下降スイッチ２４６が消去された状態の表示となる。なお、図示はしないが、角度自動スイッチ２４４、角度上昇スイッチ２４５、角度下降スイッチ２４６を使用不可にすると共に陰影をつける（斜をかける）等の選択不可表示を行うようにしてもよい。
【００６８】
同様に、例えばカラービデオプリンタが内視鏡システム１に接続されていない場合には、図３０に示すように、スイッチ設定ウインドウ２０１の記録装置スイッチ設定タグ部２５０においては、表示フィルタ部６ｄの制御により、カラービデオプリンタに関連するプリンタメモリバック（P.Back）スイッチ２５１、キャプチャスイッチ２５２、プリントスイッチ２５３、キャプチャプリントスイッチ２５４が消去された状態の表示となる。なお、図示はしないが、カラービデオプリンタに関連するプリンタメモリバック（P.Back）スイッチ２５１、キャプチャスイッチ２５２、プリントスイッチ２５３、キャプチャプリントスイッチ２５４を使用不可にすると共に陰影をつける（斜をかける）等の選択不可表示を行うようにしてもよい。
【００６９】
また、同様に、例えば患者モニタが内視鏡システム１に接続されていない場合には、図３１に示すように、スイッチ設定ウインドウ２０１のその他スイッチ設定タグ部２６０においては、表示フィルタ部６ｄの制御により、患者モニタに関連するワンタイム測定スイッチ２６１、インターバルスイッチ２６２が消去された状態の表示となる。なお、図示はしないが、患者モニタに関連するワンタイム測定スイッチ２６１、インターバルスイッチ２６２を使用不可にすると共に陰影をつける（斜をかける）等の選択不可表示を行うようにしてもよい。
【００７０】
また、準備画面５０は緑色で、内視鏡検査画面は青色で、超音波検査画面５２は紫色で、処置装置画面５３は水色で、接続機器画面５４は黄色というように、設定画面毎に色合いを変えて表示すると、現在どの画面が表示されているかが一目で分かるため操作しやすい。色合いに限らず、背景の模様やその他識別可能な方法で各画面を識別するようにしてもよい。
【００７１】
さらに、ユーザ名表示エリア７１、接続機器電源表示エリア７２、準備開始／終了設定エリア７３、ベッド操作エリア７４、画面選択エリア８１等、各画面で共通して表示されるものについては、各画面で同じ位置に配置すると操作をスムーズにすることができる。
【００７２】
本発明は、上述した実施例に限定されるものではなく、本発明の要旨を変えない範囲において、種々の変更、改変等が可能である。
【図面の簡単な説明】
【００７３】
【図１】本発明の実施例１に係るは内視鏡システムの外観構成を示す図
【図２】図１の内視鏡システムの制御系の構成を示すブロック図
【図３】図２の操作パネルにより各周辺機器を制御する際の機能的構成を示すブロック図
【図４】図２の内視鏡システム制御装置の機能構成を示す機能ブロック図
【図５】図４の操作画面展開部で展開される画面を説明する説明図
【図６】図１のフットスイッチの外観を示す外観図
【図７】図１のトラックボールの外観を示す外観
【図８】図１の内視鏡システムで展開表示される準備画面を示す図
【図９】図１の内視鏡システムで展開表示される内視鏡検査画面を示す図
【図１０】図１の内視鏡システムで展開表示される超音波検査画面を示す図
【図１１】図１の内視鏡システムで展開表示される処置装置画面を示す第１の図
【図１２】図１の内視鏡システムで展開表示される処置装置画面を示す第２の図
【図１３】図１の内視鏡システムで展開表示される接続機器画面を示す図
【図１４】図４の表示フィルタ部の作用を説明する準備画面の第１の図
【図１５】図４の表示フィルタ部の作用を説明する準備画面の第２の図
【図１６】図４の表示フィルタ部の作用を説明する準備画面の第３の図
【図１７】図４の表示フィルタ部の作用を説明する準備画面の第４の図
【図１８】図４の表示フィルタ部の作用を説明する準備画面の第５の図
【図１９】図４の表示フィルタ部の作用を説明する準備画面の第６の図
【図２０】図４の表示フィルタ部の作用を説明する内視鏡検査画面の第１の図
【図２１】図４の表示フィルタ部の作用を説明する内視鏡検査画面の第２の図
【図２２】図４の表示フィルタ部の作用を説明する内視鏡検査画面の第３の図
【図２３】図９の内視鏡検査画面に重畳されるスイッチ設定ウインドウを示す第１の図
【図２４】図９の内視鏡検査画面に重畳されるスイッチ設定ウインドウを示す第２の図
【図２５】図９の内視鏡検査画面に重畳されるスイッチ設定ウインドウを示す第３の図
【図２６】図９の内視鏡検査画面に重畳されるスイッチ設定ウインドウを示す第４の図、
【図２７】図９の内視鏡検査画面に重畳されるスイッチ設定ウインドウを示す第５の図
【図２８】図９の内視鏡検査画面に重畳されるスイッチ設定ウインドウを示す第６の図
【図２９】図４の表示フィルタ部の作用を説明するスイッチ設定ウインドウの第１の図
【図３０】図４の表示フィルタ部の作用を説明するスイッチ設定ウインドウの第２の図
【図３１】図４の表示フィルタ部の作用を説明するスイッチ設定ウインドウの第３の図
【符号の説明】
【００７４】
１…内視鏡システム
２…システム本体
３…ベッド
４…内視鏡
５…観察モニタ
６…内視鏡システム制御装置
６ａ…演算処理部
６ｂ…操作画面展開部
６ｃ…機能設定部
６ｄ…表示フィルタ部
７…操作パネル
８…挿入部
９…操作部
１２…光源装置
１３…ビデオプロセッサ
１４…送気・送水装置
１９…設定値記憶手段
２１…電気メス装置
２２…ヒートプローブ装置
２３…ＶＴＲ
２４…撮影装置
５０…準備画面
５１…内視鏡検査画面
５２…超音波検査画面
５３…処置装置画面
５４…接続機器画面
代理人    弁理士    伊藤  進
【図１】
2005334461.tif 000003
【図２】
2005334461.tif 000004
【図３】
2005334461.tif 000005
【図４】
2005334461.tif 000006
【図５】
2005334461.tif 000007
【図６】
2005334461.tif 000008
【図７】
2005334461.tif 000009
【図８】
2005334461.tif 000010
【図９】
2005334461.tif 000011
【図１０】
2005334461.tif 000012
【図１１】
2005334461.tif 000013
【図１２】
2005334461.tif 000014
【図１３】
2005334461.tif 000015
【図１４】
2005334461.tif 000016
【図１５】
2005334461.tif 000017
【図１６】
2005334461.tif 000018
【図１７】
2005334461.tif 000019
【図１８】
2005334461.tif 000020
【図１９】
2005334461.tif 000021
【図２０】
2005334461.tif 000022
【図２１】
2005334461.tif 000023
【図２２】
2005334461.tif 000024
【図２３】
2005334461.tif 000025
【図２４】
2005334461.tif 000026
【図２５】
2005334461.tif 000027
【図２６】
2005334461.tif 000028
【図２７】
2005334461.tif 000029
【図２８】
2005334461.tif 000030
【図２９】
2005334461.tif 000031
【図３０】
2005334461.tif 000032
【図３１】
2005334461.tif 000033